(57)【要約】【課題】設定情報を容易に引き継ぎ可能な電気機器を提供する。【解決手段】機器の設定データを記憶する記憶手段４と、接続した外部記憶装置が記憶する設定データを読み込む手段６と、読み込んだ設定データの中で固有設定データに関して、他の機器の固有設定データである場合に、ネットワークを介して外部のサーバにアクセスして読み込んだ他の機器の固有設定データを送信し、自機器１で等価な設定となる設定データを受信し、受信した設定データに更新する手段７と、読み込み設定データ又は更新した設定データを自機器１に設定するとともに、設定した設定データを記憶手段４に記憶させる制御手段３とを備える電気機器１。接続した外部記憶装置に記憶手段４が記憶している機器の設定データを書き出す手段５を備える。【選択図】図１
2010141677.tif 000002
【特許請求の範囲】
【請求項１】
機器の設定データを記憶する記憶手段と、接続した外部記憶装置が記憶する設定データを読み込む設定データ読み込み手段と、前記読み込んだ設定データの中で固有設定データに関して、他の機器の固有設定データである場合に、ネットワークを介して外部のサーバにアクセスして前記読み込んだ他の機器の固有設定データを送信し、自機器で等価な設定となる設定データを受信し、受信した設定データに更新する設定データ更新手段と、読み込み設定データ又は更新した設定データを自機器に設定するとともに、前記設定した設定データを前記記憶手段に記憶させる制御手段とを備えることを特徴とする電気機器。
【請求項２】
接続した外部記憶装置に前記記憶手段が記憶している機器の設定データを書き出す設定データ書き出し手段を備える請求項１記載の電気機器。
【発明の詳細な説明】
【技術分野】
【０００１】
本発明は、電気機器に関し、特に電気機器の設定情報を引き継ぐための技術に関する。
【背景技術】
【０００２】
特許文献１に記載の技術によると、ＨＤＤレコーダはデジタルＴＶとＨＤＭＩ通信および無線ＬＡＮ通信することが可能である。ＨＤＤレコーダはデジタルＴＶに設定されているデータをＨＤＭＩ通信を介して取得し、取得したデータを設定する。しかしながら、ＨＤＭＩ通信を介して取得できないデータである場合、ＨＤＤレコーダは無線ＬＡＮ通信を介してそのデータを取得し、取得したデータを設定することが可能である。
また、特許文献２に記載の技術によると、外部記憶装置と接続可能なデジタル放送受信装置であって、受信機設定情報と変換データを記憶する内部記憶装置と、画面表示で選択されたデータを受け取る手段と、データを通信にて受け取る手段と、前記外部記憶装置と設定情報を読み書きできる手段と、内部で設定情報を変換する手段を具備することで、同一受信装置のみでなく、異なる受信装置間でも設定情報を利用する手段が得られる。
【特許文献１】特開２００８−９２２０６号公報
【特許文献２】特開２００７−１８０６９０号公報
【発明の開示】
【発明が解決しようとする課題】
【０００３】
しかしながら、特許文献１に記載の技術では、他の機器と共通の設定は取得できるが、機器に固有の設定は取得できない。
また、特許文献２に記載の技術では、機種によるスケールの違いを補正するための特性データを内部に保持しているため、あらゆる機種に対応しようとすると、データ量が膨大となる。また、新規の機種に対応しようとすると、ソフトウェアを更新する必要がある。
【０００４】
本発明は、上述の課題を解決するためのものであり、設定情報を容易に引き継ぎ可能な電気機器を提供することを目的とする。
【課題を解決するための手段】
【０００５】
本発明は、機器の設定データを記憶する記憶手段と、接続した外部記憶装置が記憶する設定データを読み込む設定データ読み込み手段と、前記読み込んだ設定データの中で固有設定データに関して、他の機器の固有設定データである場合に、ネットワークを介して外部のサーバにアクセスして前記読み込んだ他の機器の固有設定データを送信し、自機器で等価な設定となる設定データを受信し、受信した設定データに更新する設定データ更新手段と、読み込み設定データ又は更新した設定データを自機器に設定するとともに、前記設定した設定データを前記記憶手段に記憶させる制御手段とを備える電気機器である。
【０００６】
また、本発明は、接続した外部記憶装置に前記記憶手段が記憶している機器の設定データを書き出す設定データ書き出し手段を備える上記の電気機器である。
【発明の効果】
【０００７】
本発明によると、電気機器に対する煩雑な設定を購入の度に行う必要がなくなる。また、機器ごとにスケールが異なる設定に関しても、自動的に引き継ぐことが可能となる。さらに、外部記憶装置側に電気機器の設定を記録する仕組みが必要な構成とすることにより、同じメーカの電気機器と外部記憶装置を組み合わせて使用することになり、顧客を囲い込むことができる。
【発明を実施するための最良の形態】
【０００８】
以下、本発明の実施の形態を図示例と共に説明する。
図１は、本発明の実施形態における、電気機器１の基本構成を表す機能ブロック図である。電気機器１は、操作部２と、制御部３と、記憶部４と、設定データ書き出し部５と、設定データ読み込み部６と、設定データ更新部７と、外部機器接続部８と、ネットワーク接続部９とを含んで構成される。
【０００９】
操作部２は、リモコンや機器本体に付属のボタンを操作することによる利用者の電気機器１に対する操作を受け付け、制御部３に伝達する。制御部３は、電気機器１の各ブロックの動作を制御する。具体的には、操作部２から伝達された操作を実行したり、記憶部４と、設定データ書き出し部５と、設定データ読み込み部６と、設定データ更新部７の動作を制御したりする。記憶部４は、制御部３の命令により、機器の設定等のデータを記憶する。設定データ書き出し部５は、制御部３の命令により、記憶部４に記録されている機器の設定データを、外部機器接続部８を介して外部記憶装置（不図示）に記録する。設定データ読み込み部６は、制御部３の命令により、外部機器接続部８を介して外部記憶装置に記録されている設定データを読み込む。設定データ更新部７は、設定データ読み込み部６が読み込んだデータの中で機器に固有の設定データに関して、当該機器の設定データでない場合に、ネットワーク接続部９を介して、メーカのサーバ（不図示）に接続し、前記読み込んだ固有設定データを当該機器で等価な設定となる設定データに更新する。外部機器接続部８は、外部記憶装置に対するデータの読み書きを実行する。ネットワーク接続部９は、ネットワークを介してメーカのサーバとデータのやり取りを行う。
【００１０】
以下、電気機器１がテレビであり、外部記憶装置がＨＤＤレコーダである場合を例として、テレビＡからテレビＢに設定情報を引き継ぐ手順について説明する。
図２は、テレビＡからテレビＢに設定情報を引き継ぐ手順を表す図である。
まず、ステップ１において、テレビＡの設定データである設定データＡをＨＤＤレコーダに記録する。図３は、設定データＡをＨＤＤレコーダに記録する場合のデータの流れを表す図である。図３において、テレビＡとＨＤＤレコーダはＨＤＭＩ等の通信手段により接続されており、テレビＡから設定データＡがＨＤＤレコーダに送信され、設定データＡがＨＤＤレコーダに記録される。図４は、設定データＡのデータ構造を表す図である。設定データＡは、全てのテレビに共通の設定データである共通設定データと、テレビＡに固有の設定データである固有設定データＡとで構成される。そして、共通設定データは、項目Ｃ１、Ｃ２、Ｃ３、…のデータで構成され、設定値は、それぞれ、設定値Ｃ１、設定値Ｃ２、設定値Ｃ３、…となっている。また、固有設定データＡは、項目Ｓ１、項目Ｓ２、項目Ｓ３、…のデータで構成され、設定値は、それぞれ、設定値Ｓ１−Ａ、設定値Ｓ２−Ａ、設定値Ｓ３−Ａ、…となっている。共通設定データの項目の例としては、地域設定、チャンネル設定、ネットワーク設定等が考えられる。また、固有設定データの項目の例としては、音量や音質等の音声設定や明るさやコントラスト等の画質設定が考えられる。
【００１１】
次に、ステップ２において、設定データＡをテレビＢに読み込む。図５は、ステップ１においてＨＤＤレコーダに記録した設定データＡをテレビＢに読み込む場合のデータの流れを表す図である。図５において、テレビＢとＨＤＤレコーダはＨＤＭＩ等の通信手段により接続されており、ＨＤＤレコーダから設定データＡがテレビＢに送信される。
次に、ステップ３において、共通設定データをテレビＢに設定する。共通設定データにネットワーク設定を含めた構成としておくことにより、以降、テレビＢはネットワークに接続可能となる。
次に、ステップ４において、固有設定データＡを、ネットワーク経由でメーカの設定データ変換サーバに送信し、テレビＢの固有設定データである固有設定データＢを受信する。図６は、テレビＢが固有設定データＡを設定データ変換サーバに送信し、固有設定データＢを受信する場合のデータの流れを表す図である。また、図７は、固有設定データＢのデータ構造を表す図である。固有設定データＢは、固有設定データＡに対して、設定値Ｓ１−Ａ、設定値Ｓ２−Ａ、設定値Ｓ３−Ａ、…をテレビＢで等価な設定となる設定値Ｓ１−Ｂ、設定値Ｓ２−Ｂ、設定値Ｓ３−Ｂ、…でそれぞれ置き換えた構成となっている。例えば、テレビＡの音量である音量Ａと、テレビＢの音量である音量Ｂが音量Ｂ＝１．５×音量Ａという関係で、テレビＡの設定が音量Ａ＝１０であった場合、設定データ変換サーバからは、テレビＢの設定として音量Ｂ＝１５が返される。
最後に、ステップ５において、固有設定データＢをテレビＢに設定する。図８は、上記の結果、テレビＢに設定される設定データＢのデータ構造を表す図である。設定データＢは、テレビＡと共通の共通設定データと、テレビＢに固有の固有設定データＢから構成される。図８より、テレビＡと共通の設定データに関してはそのまま引き継がれ、テレビＡとは異なる設定データに関しては、テレビＢ用の値に変換されて引き継がれることが分かる。
【００１２】
以上で説明した構成により、地域設定、チャンネル設定、ネットワーク設定等、テレビに対する煩雑な設定を購入の度に行う必要がなくなる。また、音声設定や画質設定といった機種ごとにスケールが異なる設定に関しても、自動的に引き継ぐことが可能となる。さらに、ＨＤＤレコーダ側にテレビの設定を記録する仕組みが必要となるため、同じメーカのテレビとＨＤＤレコーダを組み合わせて使用することになり、顧客を囲い込むことができる。
【００１３】
また、機種による違いを補正するための特性データは、データ量が膨大となるが、設定データ変換サーバが保持することができ、あらゆる機種に対応することが可能となる。
【図面の簡単な説明】
【００１４】
【図１】本発明の実施形態における、電気機器の基本構成を表す機能ブロック図である。
【図２】本発明の実施形態における、テレビＡからテレビＢに設定情報を引き継ぐ手順を表す図である。
【図３】本発明の実施形態における、設定データＡをＨＤＤレコーダに記録する場合のデータの流れを表す図である。
【図４】本発明の実施形態における、設定データＡのデータ構造を表す図である。
【図５】本発明の実施形態における、設定データＡをＨＤＤレコーダからテレビＢに読み込む場合のデータの流れを表す図である。
【図６】本発明の実施形態における、テレビＢが固有設定データＡを設定データ変換サーバに送信し、固有設定データＢを受信する場合のデータの流れを表す図である。
【図７】本発明の実施形態における、固有設定データＢのデータ構造を表す図である。
【図８】本発明の実施形態における、設定データＢのデータ構造を表す図である。
【符号の説明】
【００１５】
１  電気機器
２  操作部
３  制御部
４  記憶部
５  設定データ書き出し部
６  設定データ読み込み部
７  設定データ更新部
８  外部機器接続部
９  ネットワーク接続部
【図１】
2010141677.tif 000003
【図２】
2010141677.tif 000004
【図３】
2010141677.tif 000005
【図４】
2010141677.tif 000006
【図５】
2010141677.tif 000007
【図６】
2010141677.tif 000008
【図７】
2010141677.tif 000009
【図８】
2010141677.tif 000010